(57)【要約】【課題】支持体に加わるストレスを低減させた照明器具を提供する。【解決手段】照明器具１は、天井に取着され灯具を支持するための支持体４と、支持体４に取着される器具本体２及びバランサ３とを備え、支持体４の先端側には挿通孔７ａが設けられた接続部７が接続されている。一方、器具本体２は、長手方向に垂直な断面の形状が正方形であって下面が開口する横長の箱形状の本体部２ｆを有し、本体部２ｆの長手方向一端側には接続部７の挿通孔７ａに挿通される軸部２ｂが突設されている。また、バランサ３は、長手方向に垂直な断面の形状が正方形であって横長の角柱状に形成され、長手方向一端側には軸部２ｂが嵌合する軸嵌合凹部３ｂが設けられている。この照明器具１は、器具本体２の軸部２ｂを接続部７の挿通孔７ａに挿通し、軸部２ｂをバランサ３の軸嵌合凹部３ｂに嵌合させると、器具本体２及びバランサ３が接続部７に回転自在に支持される。【選択図】図１
2008251501.tif 000002
【特許請求の範囲】
【請求項１】
一方向を長手方向とする灯具本体に光源を保持させた灯具と、接続部を介して灯具本体を回動自在に支持する支持体とを備え、灯具本体は長手方向において２つに分割され、２つの分割体が接続部を間にして両側から当該接続部に取付けられ、灯具本体の長手方向を接続部の回転中心軸と平行に配置したことを特徴とする照明器具。
【請求項２】
前記灯具本体は、長手方向に垂直な断面の形状が正方形に形成されたことを特徴とする請求項１記載の照明器具。
【請求項３】
前記灯具本体は、長手方向に垂直な断面の形状が円形に形成されたことを特徴とする請求項１記載の照明器具。
【発明の詳細な説明】
【技術分野】
【０００１】
本発明は、照明器具に関するものである。
【背景技術】
【０００２】
従来より、回転させることで光の照射方向を設定するスポットライトがあった（例えば特許文献１参照）。このスポットライトは、照明灯が内部に収容された本体部と、本体部の外側に配置され本体部を回転自在に支持するアームとを備えている。
【０００３】
このスポットライトでは、アームに設けた回転軸を回転させることによって本体部を回転させて光の照射方向を任意に設定することができるが、本体部を所望の位置で保持するためには回転軸の摩擦力を大きくする必要であった。
【０００４】
また、図５に示すように接続部１４を介して支持体１２に支持される器具本体１１を備えたスポットライト型の照明器具１０も提案されている。この照明器具１０は、光源を有する器具本体１１と、先端側に設けた接続部１４を介して器具本体１１を回転自在に支持する支持体１２とを備えている。
【０００５】
この照明器具１０では、長手方向と回転軸中心とが直交するようにして支持されるとともに、器具本体１１が支持体１２に対して片側（図５の左側）に張り出した（偏心した）状態で接続部１４に取付けられており、回転軸中心からの突出量が大きくなっていた。
【特許文献１】特開平８−１８０７０２号公報（段落[００３４]−[００３５]、及び、第１図）
【発明の開示】
【発明が解決しようとする課題】
【０００６】
上述の特許文献１に示した照明器具１０では、器具本体１１が回転軸中心から片側に大きく突出する形で支持体１２に支持されているため、器具本体１１を回転させる際に接続部１４に大きな曲げモーメントが加わり、支持体１２にストレスが加わる虞があった。また、器具本体１１を任意の角度で保持するために、ばねを用いて弾性保持したり、器具本体１１に対して接続部１４を増し締めして摩擦力で保持する必要があった。
【０００７】
本発明は上記問題点に鑑みて為されたものであり、その目的とするところは、支持体に加わるストレスを低減させた照明器具を提供することにある。
【課題を解決するための手段】
【０００８】
請求項１の発明は、一方向を長手方向とする灯具本体に光源を保持させた灯具と、接続部を介して灯具本体を回動自在に支持する支持体とを備え、灯具本体は長手方向において２つに分割され、２つの分割体が接続部を間にして両側から当該接続部に取付けられ、灯具本体の長手方向を接続部の回転中心軸と平行に配置したことを特徴とする。
【０００９】
請求項２の発明は、灯具本体は、長手方向に垂直な断面の形状が正方形に形成されたことを特徴とする。
【００１０】
請求項３の発明は、灯具本体は、長手方向に垂直な断面の形状が円形に形成されたことを特徴とする。
【発明の効果】
【００１１】
請求項１の発明によれば、灯具本体の長手方向を接続部の回転中心軸と平行に配置することによって回転中心軸からの灯具本体の突出量が小さくなり、灯具本体を回転させた際に接続部に加わる曲げモーメントを小さくすることができるので、支持体に加わるストレスを低減することができるという効果がある。また、曲げモーメントが小さくなることによって、灯具本体を所望の角度で保持する際に、接続部を増し締めして摩擦力を大きくすることなく保持することができ、さらにばねなどの別部材も用いる必要がないので部品点数を削減することができるという効果がある。さらに、灯具本体を長手方向において２つに分割し、２つの分割体を接続部を間にして両側から接続部に取付けているので、灯具本体の長手方向において接続部に加わる力が均等になり、灯具本体の長手方向における支持体に加わるストレスを低減することができるという効果がある。
【００１２】
請求項２の発明によれば、灯具本体において長手方向に垂直な断面の形状を正方形に形成しているので、接続部に対する灯具本体の幅方向の荷重バランスがよくなり、取付状態において灯具本体が回転しにくくなるという効果がある。
【００１３】
請求項３の発明によれば、灯具本体において長手方向に垂直な断面の形状を円形に形成しているので、接続部に対する灯具本体の幅方向の荷重バランスが請求項２と比較してさらによくなり、取付状態において灯具本体がさらに回転しにくくなるという効果がある。
【発明を実施するための最良の形態】
【００１４】
本発明の実施形態を図１〜図４に基づいて説明する。本発明に係る照明器具１は、例えば図示しない天井などに取付けられ、室内などを照明するために用いられる。尚、以下の説明において特に断りがない場合、図１（ａ）において上下左右の方向を規定する。
【００１５】
この照明器具１は、図１〜図３に示すように天井に取付けられ灯具を支持するための支持体４と、支持体４に回転自在に取付けられる横長の灯具本体とを備えており、灯具本体は長手方向において２つ（器具本体２とバランサ３）に分割されている。
【００１６】
支持体４は、円盤形状であって天井に取付けるための取付部５を有し、この取付部５の下側には中空の金属管からなる縦長円筒状の支持部６が適当な取付手段により取付けられている。また、支持部６の下側には、円筒状の接続部７が中心軸が支持部６の中心軸と略直交するように取付けられている。
【００１７】
接続部７は円筒状であって、中央部には後述する器具本体２の軸部２ｂを挿通させる挿通孔７ａが左右方向に貫設されており、この挿通孔７ａは支持部６の内孔６ａと連通している。
【００１８】
一方、器具本体２は、長手方向に垂直な断面の形状が正方形であって下面が開口する横長の箱形状の本体部２ｆを有し、本体部２ｆの下面側には、例えば基板にＬＥＤや電子部品などを実装した光源ブロック８を収納するための収納凹部２ａが内側に向かって凹設されている。また、本体部２ｆの長手方向一端側には、外径が接続部７の挿通孔７ａの内径と略同寸法に形成され、本体部２ｆの長手方向と平行な方向に突出する中空の金属管からなる円筒状の軸部２ｂが設けられており、この軸部２ｂは取付状態において支持部６の内孔６ａに対応する部位に、周方向に沿って所定の長さに形成され内孔６ａと連通する切欠部２ｃが設けられている。さらに、本体部２ｆの長手方向一端部において接続部７の基部周辺には、取付状態において接続部７の一部が嵌合する嵌合凹部２ｄが設けられている。尚、軸部２ｂは、本体部２ｆの断面形状の重心位置と軸部２ｂの中心が一致するように本体部２ｆに取付けられており、軸部２ｂの内孔２ｅは本体部２ｆの収納凹部２ａと連通している。ここで、天井裏に予め配線され光源ブロック８に電源を供給するための電源線（図示せず）は、支持部６の内孔６ａ、軸部２ｂの切欠部２ｃ及び内孔２ｅを通って収納凹部２ａに配線され、光源ブロック８に接続される。ここに、灯具本体（器具本体２及びバランサ３）と、光源ブロック８とで灯具が構成されている。
【００１９】
バランサ３は、長手方向に垂直な断面の形状が本体部２ｆと同じ正方形であって横長の角柱状に形成されている。このバランサ３の長手方向一端側には、内径が器具本体２の軸部２ｂの外径と略同寸法に形成され、軸部２ｂが嵌合する軸嵌合凹部３ｂが内側に向かって凹設されており、同側において接続部７の反対側の基部周辺には取付状態において接続部７の一部が嵌合する嵌合凹部３ｃが軸嵌合凹部３ｂと同心に設けられている。また、バランサ３の下面において長手方向左寄りの部位には、固定ねじ（図示せず）を螺合させるねじ孔３ａが設けられている。このバランサ３は、器具本体２と反対側から支持体４の接続部７に取付けられ、器具本体２とのバランスを取るための重りとして用いられる。
【００２０】
ここで、照明器具１の組立方法について説明する。まず、支持体４の接続部７に設けた挿通孔７ａに一方側（例えば図３（ａ）では左側）から器具本体２の軸部２ｂを挿通し、接続部７の左側の基部が嵌合凹部２ｄの底部に当接するまで軸部２ｂを差し込む。次に、器具本体２を保持した状態で接続部７に対して器具本体２と反対側からバランサ３を接続部７に近づけ、軸部２ｂを軸嵌合凹部３ｂに挿入するとともに接続部７の反対側の基部が嵌合凹部３ｃの底部に当接するまでバランサ３を差し込む。その後、バランサ３のねじ孔３ａに固定ねじを螺合し、固定ねじの先端部が軸部２ｂの外周面に当接するまで固定ねじをねじ込むと、器具本体２とバランサ３とが一体的に接続された状態で接続部７に取付けられ、照明器具１の組立てが完了する。この状態において器具本体２及びバランサ３は、長手方向が接続部７の中心軸と略平行に配置されるとともに長手方向の中心軸が接続部７の中心軸と一致するように接続部７に取付けられており、接続部７を回転軸として図１（ａ）のＤ方向に回転可能に接続部７に支持される。
【００２１】
逆に、支持体４から器具本体２及びバランサ３を取り外す場合には、固定ねじを緩めバランサ３、器具本体２の順に引き抜くだけで容易に取り外すことができる。
【００２２】
この照明器具１では、長手方向が接続部７の中心軸と略平行となるように器具本体２及びバランサ３を接続部７に取付けているので、器具本体２を回転させた際に接続部７に加わる曲げモーメントを小さくすることができ、支持体４に加わるストレスを低減することができる。しかも本実施形態では、器具本体２及びバランサ３の長手方向の中心軸を接続部７の中心軸に一致させているので、中心軸が接続部７の中心軸と平行に配置されている場合に比べて接続部７に加わる曲げモーメントをさらに小さくすることができ、支持体４に加わるストレスをさらに低減することができる。
【００２３】
また、接続部７に加わる曲げモーメントが小さくなることによって、照明器具２を所望の角度で保持する際に接続部７と器具本体２との摩擦力を大きくすることなく保持することができ、さらにばねなどの別部材も用いる必要がないので部品点数を削減することができる。さらに、接続部７に対して一方側に器具本体２を、他方側にバランサ３を取付けているので、器具本体２の長手方向において接続部７に加わる力が左右均等になり、器具本体２の長手方向において支持体４に加わるストレスを低減することができる。また、器具本体２及びバランサ３の長手方向に垂直な断面の形状を正方形に形成しており、支持体４に対する器具本体２及びバランサ３の幅方向の荷重バランスが左右均等になるので、回転に対するバランスがよくなり、器具本体２を回転させて所望の角度に設定した後において回転しにくくなる。さらに、器具本体２を回転させることで光源から照射される光の配光を変化させることができる。
【００２４】
次に、本実施形態の照明器具１の他の例を図４に基づいて説明する。この照明器具１は、支持体４と、器具本体２’及びバランサ３’とを備えている。図１で説明した照明器具１では、長手方向に垂直な断面の形状を正方形に形成した器具本体２及びバランサ３を用いているのに対して、図４に示す照明器具１では、長手方向に垂直な断面の形状を円形に形成した器具本体２’及びバランサ３’を用いている。それ以外の構成は図１で説明した照明器具１と同様であるので、同一の構成要素には同一の符号を付して説明は省略する。
【００２５】
器具本体２’は、長手方向に垂直な断面の形状が円形であって周方向の一部が開口する横長の箱形状に形成され、バランサ３’は、長手方向に垂直な断面の形状が器具本体２’と同じ円形であって横長の円柱状に形成されており、器具本体２’の内部には基板にＬＥＤや電子部品などが実装された光源ブロック（図示せず）が収納されている。これらの器具本体２’及びバランサ３’は、長手方向が接続部７の中心軸と略平行に配置されるとともに長手方向の中心軸が接続部７の中心軸と一致するように接続部７に取付けられており、接続部７を回転軸として図４（ａ）のＥ方向に回転可能に接続部７に支持される。
【００２６】
この照明器具１では、器具本体２’及びバランサ３’の長手方向に垂直な断面の形状を円形に形成しており、支持体４に対する器具本体２’及びバランサ３’の幅方向の形状が３６０°左右対称であり、且つ荷重バランスが左右均等になるので、図１で説明した照明器具１と比較して回転に対するバランスがさらによくなり、器具本体２を回転させて所望の角度に設定した後においてさらに回転しにくくなる。
【００２７】
尚、本実施形態では、灯具本体（器具本体２、２’及びバランサ３、３’）の長手方向に垂直な断面の形状を正方形又は円形に形成した場合を例に説明したが、断面形状は本実施形態に限定されるものではなく、支持体４に対して幅方向の荷重バランスが左右均等になるものであればよい。
【００２８】
また、本実施形態では、光源としてＬＥＤを用いた場合を例に説明したが、直管型の蛍光ランプなどであってもよい。
【図面の簡単な説明】
【００２９】
【図１】本実施形態の照明器具を示し、（ａ）は正面図、（ｂ）は側面図、（ｃ）は下面図である。
【図２】同上の照明器具を示し、（ａ）はＡ−Ａ断面図、（ｂ）はＢ−Ｂ断面図である。
【図３】同上の照明器具を分解した状態を示し、（ａ）は正面図、（ｂ）は下面図である。
【図４】同上の他の照明器具を示し、（ａ）は正面図、（ｂ）は側面図である。
【図５】従来の照明器具の正面図である。
【符号の説明】
【００３０】
１    照明器具
２    器具本体
３    バランサ
４    支持体
７    接続部
８    光源ブロック（光源）
【図１】
2008251501.tif 000003
【図２】
2008251501.tif 000004
【図３】
2008251501.tif 000005
【図４】
2008251501.tif 000006
【図５】
2008251501.tif 000007